【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
支払い処理ネットワークを用いてビジネストランザクションを行なうための方法であって、
−  イシュアーに対して許可要求を含む許可要求メッセージを送信することであって、許可要求メッセージが寡占ビジネスエンティティから商品又はサービスを購入するビジネスコンシューマを起源としており、該寡占ビジネスエンティティが単数又は複数のアクワイアラーと関連づけされていること、及び
−  許可要求が承認されているか又はいないかを標示する許可応答メッセージを受信すること；
を具備し、
前記ビジネストランザクションに関連づけされたインセンティブが、該ビジネストランザクションの実行に対して該寡占ビジネスエンティティ又はビジネスコンシューマに提供され、ここで該インセンティブは、非寡占ビジネスエンティティとビジネスコンシューマの間のトランザクションには利用できない、方法。
【請求項２】
イシュアー及び単数又は複数のアクワイアラーが同じビジネスエンティティにより実現されている、請求項１に記載の方法。
【請求項３】
請求項１に記載の方法を実施するためのコードを具備するコンピュータ可読媒体。
【請求項４】
請求項３に記載のコンピュータ可読媒体を具備するＰＯＳ端末。
【請求項５】
寡占ビジネスエンティティが標的インダストリーバーティカルの内部で活動し、ここで標的インダストリーバーティカル内部で過半数を超えるビジネスコンシューマが、バーティカル特定的予算の５０％超を１０社未満のバーティカル特定的供給業者において支出している、請求項１に記載の方法。
【請求項６】
寡占ビジネスエンティティが、売上高で測定した場合にインダストリーバーティカル内の複数の上位供給業者のうちの１つに入り、該複数上位供給業者が、インダストリーバーティカル内でビジネスコンシューマが購入した全商品又はサービスの閾値百分率より多くを集合的に販売している、請求項１に記載の方法。
【請求項７】
該複数の上位供給業者が、５社以下の上位供給業者を含み、閾値百分率が８０％を含む、請求項６に記載の方法。
【請求項８】
インダストリーバーティカルが、特定の商品又はサービスを供給するバーティカル供給チェーンを含む、請求項６に記載の方法。
【請求項９】
インセンティブが、非寡占ビジネスエンティティにより支払われる通常のインターチェンジ手数料よりも低いトランザクション手数料を含む、請求項１に記載の方法。
【請求項１０】
ビジネスコンシューマがフランチャイズ又は同業者組合の構成員であり、寡占ビジネスエンティティが該フランチャイズ又は同業者組合から該フランチャイズ又は同業者組合の構成員に商品又はサービスを供給する許可を得ている、請求項１に記載の方法。
【請求項１１】
ビジネストランザクションが支払カードトランザクションを含む、請求項１に記載の方法。
【請求項１２】
ビジネストランザクションが電子決済トランザクションを含む、請求項１に記載の方法。
【請求項１３】
インダストリーバーティカル内部で寡占ビジネスエンティティを識別し、該寡占ビジネスエンティティによる電子支払いトランザクションの受諾を促すための方法であって、
−  １事業区分と関連づけされた販売情報を受信し、
−  販売情報に基づいてインダストリーバーティカル内部で１寡占ビジネスエンティティ及び一群のビジネスコンシューマを識別し、
−  前記一群のビジネスコンシューマとビジネスを行なうために電子支払いトランザクションを受諾することに寡占ビジネスエンティティが同意した後、寡占ビジネスエンティティに対して経済的インセンティブを提供すること、
を具備する方法。
【請求項１４】
一群のビジネスコンシューマに対し金融口座をオファーすることをさらに具備し、ここで該ビジネスコンシューマ群は、寡占ビジネスエンティティが金融口座からの電子支払いトランザクションを受諾することに同意したという情報を受ける、請求項１３に記載の方法。
【請求項１５】
寡占ビジネスエンティティとの電子支払いトランザクションを行なうためビジネスコンシューマ群に対し経済的インセンティブを提供することをさらに具備し、ここで該インセンティブが該ビジネスコンシューマと非寡占ビジネスエンティティの間のトランザクションにおいては利用できない、請求項１３に記載の方法。
【請求項１６】
寡占ビジネスエンティティが標的インダストリーバーティカル内部で活動し、ここで標的インダストリーバーティカル内部で過半数を超えるビジネスコンシューマが、バーティカル向け予算の５０％超を１０社未満のバーティカル特定的供給業者において支出している、請求項１３に記載の方法。
【請求項１７】
経済的インセンティブが、非寡占ビジネスエンティティにより支払われる通常のインターチェンジ手数料よりも少ないトランザクション手数料を含む、請求項１３に記載の方法。
【請求項１８】
寡占ビジネスエンティティが、売上高で測定した場合にインダストリーバーティカル内の複数の上位供給業者のうちの１つに入り、該複数上位供給業者が、インダストリーバーティカル内でビジネスコンシューマが購入した全商品又はサービスの閾値百分率より多くを集合的に販売している、請求項１３に記載の方法。
【請求項１９】
該複数の上位供給業者が、５社以下の上位供給業者を含み、閾値百分率が８０パーセントを含む、請求項１８に記載の方法。
【請求項２０】
インダストリーバーティカルが、特定の商品又はサービスを供給するバーティカル供給チェーンを含む、請求項１３に記載の方法。
【請求項２１】
ビジネスコンシューマ群がフランチャイズ又は同業者組合である、請求項１３に記載の方法。
【請求項２２】
寡占ビジネスエンティティが、フランチャイズ又は同業者組合の構成員に対し商品又はサービスを供給することをフランチャイズ又は同業者組合により許可されている、請求項２１に記載の方法。
【請求項２３】
金融口座がフランチャイズ又は同業者組合と提携している、請求項１４に記載の方法。
【請求項２４】
支払い処理ネットワークを用いてビジネストランザクションを行なうための方法であって、
−  許可要求メッセージを受信することであって、該許可要求メッセージが寡占ビジネスエンティティから商品又はサービスを購入するビジネスコンシューマを起源とし、該寡占ビジネスエンティティが単数又は複数のアクワイアラーと関連づけされている、こと、及び
−  許可要求が承認されているかいないかを標示する許可応答メッセージを送信すること、
を具備し、
ビジネストランザクションに関連づけされたインセンティブが、該ビジネストランザクションの実行に対して該寡占ビジネスエンティティ又はビジネスコンシューマに提供され、ここで該インセンティブは、非寡占ビジネスエンティティとビジネスコンシューマの間のトランザクションには利用できない、方法。
【請求項２５】
インセンティブが、ビジネストランザクションを行なうために寡占ビジネスエンティティが支払うべき割引された手数料である、請求項２４に記載の方法。
【請求項２６】
ビジネストランザクションが寡占エンティティと関連づけされた携帯式消費者デバイスを用いて行なわれる、請求項２４に記載の方法。
【請求項２７】
請求項２４に記載の方法を実施するためのコードを具備する、コンピュータ可読媒体。
【請求項２８】
請求項２７に記載のコンピュータ可読媒体を具備するサーバーコンピュータ。
【請求項２９】
コンピュータ可読媒体を具備するサーバーコンピュータを具備する支払い処理ネットワークであって、該コンピュータ可読媒体が、
−  イシュアーに対する許可要求を含む許可要求メッセージを伝達することであって、該許可要求メッセージは、ビジネスコンシューマが寡占ビジネスエンティティから商品又はサービスを購入するビジネストランザクションを起源としており該寡占ビジネスエンティティにはアクワイアラーが関連づけされていること、及び；
−  該許可要求が承認されているかいないかを標示する、イシュアーからアクワイアラーへの許可応答メッセージを伝達すること；
のためのコードを具備し、
ビジネストランザクションに関連づけされたインセンティブが、該ビジネストランザクション実行に対して該寡占ビジネスエンティティ又はビジネスコンシューマに提供され、ここで該インセンティブは、非寡占ビジネスエンティティとビジネスコンシューマの間のトランザクションには利用できない、支払い処理ネットワーク。
【請求項３０】
−  アクワイアラーと関連づけされた寡占ビジネスエンティティ；
−  イシュアーと関連づけされたビジネスコンシューマ；及び
−  コンピュータ可読媒体を具備するサーバーコンピュータを具備する支払い処理ネットワークを具備するシステムであって、該コンピュータ可読媒体が、
・  イシュアーに対する許可要求を含む許可要求メッセージを伝達することであって、該許可要求メッセージは、ビジネスコンシューマが寡占ビジネスエンティティから商品又はサービスを購入するビジネストランザクションを起源としており該寡占ビジネスエンティティにはアクワイアラーが関連づけされていること、；及び
・  該許可要求が承認されているかいないかを標示する、イシュアーからアクワイアラーへの許可応答メッセージを伝達すること；
のためのコードを具備し、
・  ビジネストランザクションに関連づけされたインセンティブが、該ビジネストランザクションの実行に対して該寡占ビジネスエンティティ又はビジネスコンシューマに提供され、ここで該インセンティブは、非寡占ビジネスエンティティとビジネスコンシューマの間のトランザクションには利用できない、
システム。